(57)【特許請求の範囲】
【請求項１】
取付板と支持板と有した基枠体の該支持板の上部と下部に鉤部材が枢軸を介して傾動可能に枢支され、上下の該鉤部材が該支持板に沿って摺動可能に配設された連結杆により連結され、該基枠体の中間部に設けたシリンダ錠の錠軸にカム板が該連結杆に係合可能に固定され、該基枠体がパチンコ機の前面枠側に固定され、該鉤部材がパチンコ機の本体枠側に取り付けた受け金具に係止されて該前面枠を施錠するパチンコ機の施錠装置において、
該基枠体内には該前面枠内に開閉可能に設けられたガラス枠を施錠するガラス枠施錠杆が摺動可能に配設され、該ガラス枠の閉鎖時その自由端部が該基枠体の取付板を覆うように位置し、該取付板には該ガラス枠を開放側に付勢する開放レバーが回動可能に枢支され、該連結杆には係合凸部が該取付板に設けた長孔から基枠体の正面側に突出して設けられ、該ガラス枠を閉鎖して該開放レバーを内側に回動させたとき、該係合凸部が該開放レバーに当接して該連結杆の解錠側への移動を阻止するように構成したことを特徴とするパチンコ機の施錠装置。
【請求項２】
取付板と支持板と有した基枠体の該支持板の上部と下部に鉤部材が枢軸を介して傾動可能に枢支され、上下の該鉤部材が該支持板に沿って摺動可能に配設された連結杆により連結され、該基枠体の中間部に設けたシリンダ錠の錠軸にカム板が該連結杆に係合可能に固定され、該基枠体がパチンコ機の前面枠側に固定され、該鉤部材がパチンコ機の本体枠側に取り付けた受け金具に係止されて該前面枠を施錠するパチンコ機の施錠装置において、
該基枠体内には該前面枠内に開閉可能に設けられたガラス枠を施錠するガラス枠施錠杆が摺動可能に配設され、該ガラス枠の閉鎖時その自由端部が該基枠体の取付板を覆うように配置され、該連結杆には係合凸部が該取付板に設けた長孔から該基枠体の正面側に突出して設けられ、該ガラス枠内には該ガラス枠の閉鎖時に該係合凸部に係合して該連結杆の解錠側への移動を阻止するロック用係止片が設けられたことを特徴とするパチンコ機の施錠装置。
【請求項３】
前記支持板と連結杆の間に鉤部を上下に有するガラス枠施錠杆が該鉤部を該取付板から前面側に突出させた状態で摺動可能に配設され、該ガラス枠施錠杆には前記カム板と係合可能な係合部が設けられ、該ガラス枠施錠杆の鉤部が該ガラス枠側に設けた係止片に係止されて該ガラス枠が施錠されるように構成された請求項１又は２記載のパチンコ機の施錠装置。
【請求項４】
取付板と支持板と有した基枠体の該支持板に沿って、上部と下部に鉤部材を一体に形成してなる本体施錠杆が摺動可能に配設され、該基枠体の中間部に設けたシリンダ錠の錠軸にカム板が該本体施錠杆に係合可能に固定され、該基枠体がパチンコ機の前面枠側に固定され、該鉤部材がパチンコ機の本体枠側に取り付けた受け金具に係止されて該前面枠を施錠するパチンコ機の施錠装置において、
該基枠体内には該前面枠内に開閉可能に設けられたガラス枠を施錠するガラス枠施錠杆が摺動可能に配設され、該ガラス枠の閉鎖時その自由端部が該基枠体の取付板を覆うように位置し、該取付板には該ガラス枠を開放側に付勢する開放レバーが回動可能に枢支され、前記本体施錠杆には係合凸部が該取付板に設けた長孔から基枠体の正面側に突出して設けられ、該ガラス枠を閉鎖して該開放レバーを内側に回動させたとき、該係合凸部が該開放レバーに当接して該本体施錠杆の解錠側への移動を阻止するように構成したことを特徴とするパチンコ機の施錠装置。
【請求項５】
取付板と支持板と有した基枠体の該支持板に沿って、上部と下部に鉤部材を一体に形成してなる本体施錠杆が摺動可能に配設され、該基枠体の中間部に設けたシリンダ錠の錠軸にカム板が該本体施錠杆に係合可能に固定され、該基枠体がパチンコ機の前面枠側に固定され、該鉤部材がパチンコ機の本体枠側に取り付けた受け金具に係止されて該前面枠を施錠するパチンコ機の施錠装置において、
該基枠体内には該前面枠内に開閉可能に設けられたガラス枠を施錠するガラス枠施錠杆が摺動可能に配設され、該ガラス枠の閉鎖時その自由端部が該基枠体の取付板を覆うように配置され、前記本体施錠杆には係合凸部が該取付板に設けた長孔から該基枠体の正面側に突出して設けられ、該ガラス枠内には該ガラス枠の閉鎖時に該係合凸部に係合して該本体施錠杆の解錠側への移動を阻止するロック用係止片が設けられたことを特徴とするパチンコ機の施錠装置。
【発明の詳細な説明】
【０００１】
【発明の属する技術分野】
本発明は、パチンコ機に使用される施錠装置に関し、特に前面枠の施錠装置に加えてガラス枠解錠具を備えると共に、ガラス枠の解錠後にのみ前面枠の解錠を可能とするパチンコ機の施錠装置に関する。
【０００２】
【従来の技術】
パチンコ機の施錠装置として、パチンコ機の本体枠（キャビネット）の前面にヒンジを介して開閉可能に取り付けられた前面枠（前扉）を施錠するために、前面枠の内側に縦に装着され、本体枠側に取り付けた受け金具にフック状の鉤部材を係止させて施錠する施錠装置が、従来一般に使用されている。
【０００３】
この施錠装置は、通常、取付板と支持板を横断面略Ｌ形に成形してなる縦長の基枠体を有し、その支持板の上部と下部に、鉤部材を傾動可能に枢支し、基枠体内に摺動可能に配設した連結杆により上下の鉤部材を連結し、基枠体の取付板の中間部にシリンダ錠が取り付けられ、その錠軸の先端に取り付けたカム板を連結杆に連結させ、シリンダ錠のキー操作によりカム板を回動させ、連結杆を介して上下の鉤部材を下側に傾動させ、解錠する構造である。また、連結杆には鉤部材を施錠側に付勢するコイルばねが掛止され、前面枠を本体枠に対し閉鎖した時、鉤部材が受け金具の縁部に当って傾動しながら、係止状態となり、コイルばねの付勢力で、鉤部材が係止位置に戻り、施錠状態となるように動作する。
【０００４】
【発明が解決しようとする課題】
ところで、この種のパチンコ機は、近年、大当たり入賞状態になれば、多くの球の払出が行なわれる機種が人気を呼び、大当たり入賞の生じるパチンコ機が多く製造されている。しかし、大当たり入賞の当選の確率は、通常、制御回路内のプログラムやメモリ内のデータにより決定されることから、遊技場の営業中や非営業中に係らず、パチンコ機の前面枠を不正に開き、制御回路内の回路部品を不正な部品と交換し、有利な条件で遊技を行なうことにより、不正に多くの球の払出を得るような不正行為が発生している。
【０００５】
パチンコ機には、殆ど全てに上記のような構造の施錠装置が装着されており、正常なキーを用いてシリンダ錠を操作して、施錠装置を解錠しなければ、パチンコ機の前面枠は、殆ど開くことが不可能である。しかしながら、前面枠と本体枠の隙間から針金などを差し込み、連結杆や鉤部材を動かして不正解錠することや、真正キーから不正に作った不正キーを用いて不正解錠が行なわれる問題があった。
【０００６】
このため、従来、パチンコ機の前面枠を施錠する施錠装置において、前面枠を鉤部材により施錠した状態で、その鉤部材を連結する連結杆を不正解錠禁止機構とクラッチ機構によってロックし、不正解錠を防止する施錠装置が、特開2001-38026号公報等により提案されている。
【０００７】
しかしながら、上記従来のパチンコ機の施錠装置は、不正解錠禁止機構とクラッチ機構が複雑な構造であるため、部品の加工工数が増大すると共に、部品点数も多く、部品の組付作業時にも多くの工数が必要となる等の問題があった。
【０００８】
本発明は、上記の点に鑑みてなされたもので、簡単な機構で不正解錠を防止することができるパチンコ機の施錠装置を提供することを目的とする。
【０００９】
【課題を解決するための手段】
上記目的を達成するために、本発明の請求項１の施錠装置は、取付板と支持板と有した基枠体の支持板の上部と下部に鉤部材が枢軸を介して傾動可能に枢支され、上下の鉤部材が支持板に沿って摺動可能に配設された連結杆により連結され、基枠体の中間部に設けたシリンダ錠の錠軸にカム板が連結杆に係合可能に固定され、基枠体がパチンコ機の前面枠側に固定され、鉤部材がパチンコ機の本体枠側に取り付けた受け金具に係止されて前面枠を施錠するパチンコ機の施錠装置において、基枠体内には前面枠内に開閉可能に設けられたガラス枠を施錠するガラス枠施錠杆が摺動可能に配設され、ガラス枠の閉鎖時その自由端部が基枠体の取付板を覆うように位置し、取付板にはガラス枠を開放側に付勢する開放レバーが回動可能に枢支され、連結杆には係合凸部が取付板に設けた長孔から基枠体の正面側に突出して設けられ、ガラス枠を閉鎖して開放レバーを内側に回動させたとき、係合凸部が開放レバーに当接して連結杆の解錠側への移動を阻止するように構成したことを特徴とする。
【００１０】
また、請求項２の施錠装置は、取付板と支持板と有した基枠体の支持板の上部と下部に鉤部材が枢軸を介して傾動可能に枢支され、上下の鉤部材が支持板に沿って摺動可能に配設された連結杆により連結され、基枠体の中間部に設けたシリンダ錠の錠軸にカム板が連結杆に係合可能に固定され、基枠体がパチンコ機の前面枠側に固定され、鉤部材がパチンコ機の本体枠側に取り付けた受け金具に係止されて前面枠を施錠するパチンコ機の施錠装置において、基枠体内には前面枠内に開閉可能に設けられたガラス枠を施錠するガラス枠施錠杆が摺動可能に配設され、ガラス枠の閉鎖時その自由端部が基枠体の取付板を覆うように配置され、連結杆には係合凸部が取付板に設けた長孔から基枠体の正面側に突出して設けられ、ガラス枠内にはガラス枠の閉鎖時に係合凸部に係合して連結杆の解錠側への移動を阻止するロック用係止片が設けられたことを特徴とする。
【００１１】
【作用】
上記構成の施錠装置では、ガラス枠を前面枠内に閉じると、ガラス枠内の係止片がガラス枠施錠杆の鉤部に係止されてガラス枠は施錠状態となる。このとき、ガラス枠は開放レバーを押し戻して取付板側に回動させるため、係合凸部が開放レバーに当接して連結杆の解錠側への移動を阻止する。或は、ガラス枠側のロック用係止片が基枠体側の係合凸部に係合して連結杆の解錠側への移動を阻止する。従ってこの状態では、キーをシリンダ錠に差し込んで、前面枠を解錠しようとしても、鉤部材の連結杆がロックされているから、解錠することができない。また、前面枠と本体枠の隙間から針金等を差し込んで不正に連結杆や鉤部材を動かして不正解錠しようとしても、連結杆がロックされているから、解錠することができない。
【００１２】
ガラス枠を解錠する場合は、キーをシリンダ錠に差し込み、これを回してカム板を回動させ、カム板によりガラス枠施錠杆を摺動させ、その鉤部を係止片から外してガラス枠を解錠する。ガラス枠を解錠して開放状態にすると、開放レバーが前方に回動し、或はロック用係止片が係合凸部から離れ、これによって、係合凸部のロックが解除されるから、連結杆が解錠側へ移動可能となる。従って、この状態で、キーをシリンダ錠に差し込んで、上記と逆方向に回せば、カム板が同方向に回動し、連結杆を解錠方向に移動させて、鉤部材を傾動させ、前面枠を解錠することができる。
【００１３】
このように、前面枠を解錠するためには、ガラス枠を解錠し開放した状態で、解錠操作を行う必要があり、つまりガラス枠を施錠した状態では、前面枠を解錠することができないから、ホールの営業中に素早く不正解錠を行うような不正行為を防止することができる。
【００１４】
【発明の実施の形態】
以下、本発明の実施の形態を図面に基づいて説明する。図１は、パチンコ機に使用される施錠装置の右側面図を、図２はその背面図を示し、図３は分解側面図を示している。この施錠装置は、取付板２と支持板３を横断面Ｌ形に成形した縦長の基枠体１を有し、その支持板３の上部と下部に、フック状の鉤部材５、６がその末端を枢軸７、８を介して傾動可能に枢支され、両鉤部材５、６の中間部が、基枠体１内に摺動可能に配設した連結杆４により、連結ピン５ａ，６ａを介して連結される。
【００１５】
連結杆４は、取付板２上に切り起して形成した複数の切起部２ａにより、摺動可能にガイドされ、支持板３の内側に突設したガイドピン１９と連結杆４に設けた長孔との係合によってもガイドされる。基枠体１の取付板２の中央下寄りに幅広部が設けられ、そこにシリンダ錠１０が前面に突き出す形態で取り付けられる。シリンダ錠１０は、異形筒状に形成され、末端に大形のフランジ部を有し、取付板２に形成された異形孔に内側から挿入され、フランジ部を取付板２の内側にねじで固定し、取り付けられる。シリンダ錠１０の錠軸の末端はフランジ部を通して内側に突出し、その先端にカム板９が固定される。
【００１６】
カム板９には図２に示すように、第一係合部９ａと第二係合部９ｂが形成される。カム板９を図２の反時計方向に回動した時、第二係合部９ｂが上記連結杆４の一部に設けた係合長孔４ｄに係合可能であり、図２の時計方向に回動した時、第一係合部９ａが後述のガラス枠施錠杆１２の係合長孔１２ｃと係合可能である。
【００１７】
ガラス枠を施錠するガラス枠施錠杆１２は、取付板２の幅広部近傍における支持板３と連結杆４との間に摺動可能に配設され、ガイドピン１９と長孔の係合により上下摺動可能に支持される。ガラス枠施錠杆１２には、その上部と下部に正面を向けて鉤部１２ａ，１２ｂが突設され、さらに、その中間部には手動のための操作部１２ｄが背面側に突き出して設けられる。鉤部１２ａ，１２ｂは、基枠体１の取付板２の上部と下部に設けたスリット孔から前方に突出し、その状態でガラス枠施錠杆１２は上下に摺動可能に装着される。ガラス枠施錠杆１２の係合長孔１２ｃはカム板９の第一係合部９ａと係合可能であり、シリンダ錠１０の錠軸がキー操作により左に回されたとき、カム板９の回動に伴いガラス枠施錠杆１２が下方に摺動し、ガラス枠が解錠する。
【００１８】
図３に示すように、連結杆４とガラス枠施錠杆１２の上部と下部には、係合矩形孔４ａと１２ｅが形成され、それらの係合矩形孔４ａ，１２ｅには、上述の支持板３の内側に突設した切起部３ａが係合し、連結杆４とガラス枠施錠杆１２はこの切起部３ａと係合矩形孔４ａ，１２ｅの係合によっても、安定して上下摺動可能にガイドされる。コイルばね１７が取付板２と連結杆４との間にかけ渡され、連結杆４はコイルばね１７のばね力により常時下方（施錠方向）に付勢されている。
【００１９】
さらに、基枠体１の取付板２の正面側に突出して開放レバー１３が軸支される。この開放レバー１３は、ガラス枠の解錠時にガラス枠を自動的に開放させるように、常時解放側にガラス枠を付勢するもので、軸１３ａにより軸支され、コイルばね１６がガラス枠施錠杆１２との間にかけられている。このコイルばね１６は、ガラス枠施錠杆１２を常時上方の施錠側に付勢すると共に、開放レバー１３を開放側に付勢する。
【００２０】
一方、図３に示すように、連結杆４の中間部上寄りには係合凸部４ｃが内側（取付板側）設けられ、連結杆４が基枠体１の内側に摺動可能に配設された状態で、係合凸部４ｃは基枠体１の取付板２に設けた長孔２ｃから外側に突き出し、開放レバー１３の真下位置（ガラス枠２２が前面枠２１内に閉じられ、開放レバー１３がガラス枠２２に押されて内側に回動した位置）に突出する。この係合凸部４ｃは、ガラス枠２２が閉じられ、開放レバー１３が内側に回動しているとき、開放レバー１３に当たって、連結杆４の上方への移動（解錠移動）を阻止する。
【００２１】
さらに、基枠体１の支持板３の右側面には、図４に示すように、前パネルを施錠するための前パネル施錠杆１５が上下に摺動可能に装着される。この前パネル施錠杆１５は、鉤部１５ａが前方に向けて突設され、前面枠の下部に開閉可能にヒンジを介して取り付けられた前パネルの係止片２８を、その鉤部１５ａで係止するように設けられる。この前パネル施錠杆１５には係合長孔１５ｂが上下に設けられ、支持板３の右側面に突設されたガイドピン１５ｃにより上下に摺動可能に支持される。さらに、前パネル施錠杆１５と取付板２との間にコイルばね１８がかけられ、コイルばね１８のばね力により前パネル施錠杆１５は常時上方の施錠側に付勢される。また、前パネル施錠杆１５の上部には手動で解錠側に押し下げるための操作部１５ｄが突設される。
【００２２】
このように構成された施錠装置は、図５、図６に示す如く、パチンコ機の本体枠２０に開閉可能に装着された前面枠２１の内側における矩形開口部の縁部に、シリンダ錠１０の先端を前面に露出させ、鉤部材５、６を本体枠２０側に向けた姿勢で、取付板２を用いて縦に取付けられる。
【００２３】
一方、本体枠２０の内側の鉤部材５、６に対応した上下位置には、受け金具２４、２５が固定される。さらに、ガラスを嵌め込んだガラス枠２２が、前面枠２１の開口部内に取付けられた金枠内にヒンジを開閉可能に取付けられ、そのガラス枠２２の自由端部に、ガラス枠施錠杆１２の鉤部１２ａ，１２ｂが係止可能な係止片２６、２７が設けられる。つまり、ガラス枠２２は、閉鎖時にその自由端部が前面枠側の施錠装置の正面を覆い、鉤部１２ａ，１２ｂに係止片２６、２７を係止可能に構成されている。また、ガラス枠２２内には、ガラス枠２２を前面枠２１内に閉じた際、開放レバー１３に当たってそれを内側に戻すように回動させる当板部２９が設けられる。
【００２４】
パチンコ機の前面枠２１を本体枠２０に対し閉じると、施錠装置の上下の鉤部材５、６が本体枠２０側の受け金具２４、２５に当って下方に傾動し、その後コイルばね１７の付勢力により戻って係止され、施錠状態となる（図５）。
【００２５】
一方、ガラス枠２２を前面枠２１の金枠内に閉じると、ガラス枠２２内の係止片２６、２７がガラス枠施錠杆１２の鉤部１２ａ，１２ｂに当り、これを下方に摺動させながら閉じられ、コイルばね１６の付勢力によりガラス枠施錠杆１０が上方に戻る。これにより、鉤部１２ａ，１２ｂに係止片２６、２７が係止され、ガラス枠２２は施錠状態となる（図５）。
【００２６】
ところで、このようにガラス枠２２を閉鎖した状態では、図５に示すごとく、連結杆４の係合凸部４ｃが開放レバー１３（内側に回動している）の先端に当たり、連結杆４は上方への移動を阻止されているから、キー３０をシリンダ錠１０に差し込んで右に回したとしても、連結杆４は移動せず、鉤部材５、６は傾動しないから、前面枠２１を解錠することはできない。
【００２７】
ガラス枠２２を解錠する場合は、図６に示すように、ガラス枠解錠用のキー３０をシリンダ錠１０に差し込み、これを左方向に回して、カム板９を図２時計方向へ回動させると、カム板９の第一係合部９ａがガラス枠施錠杆１２の係合長孔１２ｃと係合してこれを下方へ摺動させ、上下の鉤部１２ａ，１２ｂを下方へ摺動させる。
【００２８】
この動作によって、ガラス枠２２の係止片２６、２７と鉤部１２ａ，１２ｂとの係合が外れ、ガラス枠２２は解錠される。ガラス枠の解錠時、開放レバー１３がガラス枠２２の当板部２９を開放側に付勢しているから、ガラス枠２２はこの開放レバー１３に押されて自動的に開放される（図６）。そして、ガラス枠２２が解錠され、開放された状態では、開放レバー１３が係合凸部４ｃの上方への移動を阻止しない状態となり、前面枠２１の解錠が可能になる。
【００２９】
前面枠２１を解錠する場合は、図７に示すように、ガラス枠２２を開放した状態で、キー３０によりシリンダ錠１０を右に回し、カム板９を図２反時計方向に回転させる。この動作により、カム板９の第二係合部９ｂが連結杆４の係合孔４ｃと係合してこれを上方へ摺動させ、上下の鉤部材５、６を下方に傾動させる。この鉤部材５、６の傾動によって、本体枠２０の受け金具２４、２５との係合が外れ、前面枠２１は開放可能な状態となる。
【００３０】
このように、前面枠２１を解錠する場合は、ガラス枠２２を解錠し開放した状態で、解錠操作を行う必要があり、つまりガラス枠２２を施錠した状態では、前面枠２１を解錠することができないから、ホールの営業中に素早く不正解錠を行うような不正行為を防止することができる。また、ガラス枠２２、前面枠２１共に施錠した状態では、施錠装置の連結杆４が係合凸部４と開放レバー１３によってロックされるから、本体枠と前面枠の隙間などから針金を差し込んで連結杆４や鉤部材５、６を動かす不正解錠を防止することができる。
【００３１】
図８〜図１２は、他の実施例を示し、この例では、上記の開放レバー１３を使用せず、ガラス枠２２内に設けたロック用係止片３９により連結杆４をロックするようにしている。その他の構成は、上記実施例と略同様であり、同じ構成の部分は、上記実施例と同じ符号を付して、その説明を省略する。
【００３２】
すなわち、図８、図９に示すように、連結杆４の中間部上寄りには、上記と同様、係合凸部４ｃが内側（取付板側）設けられ、連結杆４が基枠体１の内側に摺動可能に配設された状態で、係合凸部４ｃは基枠体１の取付板２に設けた長孔２ｃから外側に突き出している。この係合凸部４ｃに対し、この施錠装置を覆って閉じられるガラス枠２２の内側には、図１０〜図１２に示すように、ロック用係止片３９が設けられている。このロック用係止片３９は、ガラス枠２２が閉じら、その自由端部が施錠装置の前面側を覆った状態で、図１０に示すごとく、係合凸部４ｃの真上に位置し、係合凸部４ｃつまり連結杆４の上方への移動（解錠移動）を阻止する。
【００３３】
従って、上記と同様に、ガラス枠２２が閉鎖され施錠された状態では、連結杆４の移動がロックされるから、鉤部材５、６は動かず、前面枠２１を解錠することはできない。シリンダ錠１０にキー３０を差し込み、左に回してガラス枠施錠杆１２を下方に摺動させ、鉤部１２ａ，１２ｂを下方に摺動させて、ガラス枠２２を解錠し、それを開く。このようなガラス枠２２を開いた状態で、図１１に示すように、ロック用係止片３９は係合凸部４ｃの真上位置から外れ、係合凸部４ｃつまり連結杆４は上方に移動可能となる。従って、その状態で、シリンダ錠１０を右に回せば、連結杆４が上方に移動し、それに伴い鉤部材５、６が傾動して、受け金具２４、２５との係止が外れ、前面枠２１を解錠することができる。
【００３４】
なお、図８〜図１２には明示してないが、解錠時にガラス枠２２を自動的に開放させる開放レバーのような付勢手段は、基枠体１の取付板側、ガラス枠側、或はガラス枠が入る金枠側に設けておくことができる。
【００３５】
また、上記実施例では、鉤部１２ａ、１２ｂを上部と下部に前方に突出して設けたガラス枠施錠杆１２を使用したが、ガラス枠側に鉤部を前面枠側に向けて突設し、ガラス枠施錠杆にはその鉤部が係合可能な矩形係合孔を上部と下部に設け、ガラス枠を閉じた時、その鉤部がガラス枠施錠杆に設けた矩形係合孔に係止される構造の施錠装置に、本発明を適用することもできる。
【００３６】
更に、上記実施例では、支持板の上部と下部に鉤部材を傾動可能に枢支し、連結杆によって両鉤部材を連結したが、上部と下部に鉤部材を一体に形成してなる本体施錠杆を基枠体内に摺動可能に配設した構造の施錠装置にも適用することができ、この場合には、本体施錠杆に、係合凸部を取付板に設けた長孔から基枠体の正面側に突出するように設ければ良い。
【００３７】
【発明の効果】
以上説明したように、本発明の施錠装置によれば、前面枠を解錠するためには、ガラス枠を解錠し開放した状態で、解錠操作を行う必要があり、つまりガラス枠を施錠した状態では、前面枠を解錠することができないから、ホールの営業中に素早く不正解錠を行うような不正行為を防止することができる。また、ガラス枠、前面枠共に施錠した状態では、施錠装置の連結杆が係合凸部と開放レバー又ロック用係止片によってロックされるから、本体枠と前面枠の隙間などから針金を差し込んで連結杆や鉤部材を動かす不正解錠を防止することができる。また、連結杆に係合凸部を設け、開放レバーを取付板に設け、或はガラス枠にロック用係止片を設けるだけの簡単な機構で、上記のような機能を持たせることができる。
【図面の簡単な説明】
【図１】本発明の一実施形態を示す施錠装置の右側面図である。
【図２】同施錠装置の背面図である。
【図３】施錠装置の分解側面図である。
【図４】施錠装置の部分左側面図である。
【図５】前面枠の施錠状態を示す右側面図である。
【図６】ガラス枠の解錠状態を示す右側面図である。
【図７】前面枠の解錠状態を示す右側面図である。
【図８】他の実施例の施錠装置の右側面図である。
【図９】同施錠装置の分解側面図である。
【図１０】同前面枠の施錠状態を示す右側面図である。
【図１１】同ガラス枠の解錠状態を示す右側面図である。
【図１２】同前面枠の解錠状態を示す右側面図である。
【符号の説明】
１−基枠体
３−支持板
４−連結杆
４ｃ−係合凸部
５、６−鉤部材
９−カム板
１０−シリンダ錠
１２−ガラス枠施錠杆
１３−開放レバー
２０−本体枠
２１−前面枠
２２−ガラス枠
２９−当板部
【図１】
0003989700.tif 000002
【図２】
0003989700.tif 000003
【図３】
0003989700.tif 000004
【図４】
0003989700.tif 000005
【図５】
0003989700.tif 000006
【図６】
0003989700.tif 000007
【図７】
0003989700.tif 000008
【図８】
0003989700.tif 000009
【図９】
0003989700.tif 000010
【図１０】
0003989700.tif 000011
【図１１】
0003989700.tif 000012
【図１２】
0003989700.tif 000013